(57)【要約】【課題】内装タンク内の洗浄水の増加に伴った便器洗浄薬剤の浮き上がりを防止する、ホルダーを提供することを目的とする。【解決手段】外装タンクと、前記外装タンクの内部に配置され、結露防止カバーが載置される、便器を洗浄する洗浄水を貯水する内装タンクと、を備えた便器洗浄水タンクにおいて、前記内装タンク内に設置される、便器洗浄薬剤を収納するためのホルダーであって、前記便器洗浄薬剤を収納する収納部と、前記収納部を前記内装タンクの内壁に固定する固定部と、を有し前記収納部は、前記収納部に前記便器洗浄薬剤が収納された状態において、ホルダーの高さ方向に直交する直交方向における前記便器洗浄薬剤の移動を制限する、収納壁部を有することを特徴とするホルダー。【選択図】図２
2020180520.tif 000002
【特許請求の範囲】
【請求項１】
外装タンクと、前記外装タンクの内部に配置され、結露防止カバーが載置される、便器を洗浄する洗浄水を貯水する内装タンクと、を備えた便器洗浄水タンクにおいて、前記内装タンク内に設置される、便器洗浄薬剤を収納するためのホルダーであって、
前記便器洗浄薬剤を収納する収納部と、
前記収納部を前記内装タンクの内壁に固定する固定部と、を有し
前記収納部は、前記収納部に前記便器洗浄薬剤が収納された状態において、ホルダーの高さ方向に直交する直交方向における前記便器洗浄薬剤の移動を制限する、収納壁部を有することを特徴とするホルダー。
【請求項２】
前記固定部は、前記内装タンクの上端部に係止するフック部を有することを特徴とする請求項１に記載のホルダー。
【請求項３】
前記固定部は、前記収納部と前記フック部とをつなぐフランジ部を有し、
前記フランジ部は、前記結露防止カバーが載置される、前記内装タンクの載置面に対して、平行に延びることを特徴とする請求項２に記載のホルダー。
【請求項４】
前記壁部は、
背壁と、
前記背壁と対向する前壁と、
前記背壁と前記前壁とが対向する対向方向に延びる、一対の側壁と、を有し、
前記背壁の下端及び前記前壁の下端は、底壁で繋がっており、
前記前壁の上端は、前記背壁の上端より、前記高さ方向において下方に位置することを特徴とする請求項１ないし３のいずれか１つに記載のホルダー。
【請求項５】
前記収納部に前記便器洗浄薬剤が収納された状態において、前記前壁が前記便器洗浄薬剤に弾性接触することを特徴とする請求項４に記載のホルダー。
【請求項６】
前記収納部は、前記内装タンク内の洗浄水を、前記収納部の内外において通水させる通水開口部を有することを特徴とする請求項４または５に記載のホルダー。
【請求項７】
前記通水開口部は、前記側壁の下端と、前記底壁と、の間に形成されていることを特徴とする請求項６に記載のホルダー。
【発明の詳細な説明】
【技術分野】
【０００１】
本発明は、外装タンクと、外装タンクの内部に配置された内装タンクと、を備えた便器洗浄水タンクにおいて、内装タンク内に設置される、便器洗浄薬剤を収納するためのホルダーに関する。
【背景技術】
【０００２】
従来、水洗便器に取り付けられる便器洗浄水タンクにおいて、陶器製の外装タンクと、外装タンク内に配置された内装タンクと、を備えた、二重構造のタンクが広く用いられている（特許文献１参照）。
【先行技術文献】
【特許文献】
【０００３】
【特許文献１】特開２０１３−１３９６８１号公報
【発明の概要】
【発明が解決しようとする課題】
【０００４】
便器のボウル部を洗浄する方法として、内装タンクの内部に便器洗浄薬剤を配置する方法が採用されている。この方法によれば、内装タンク内の洗浄水に便器洗浄薬剤が溶け込むため、使用者がレバーハンドルを回すと、内装タンク内の洗浄水とともに、溶け込んだ便器洗浄薬剤が便器のボウル部に供給される。これにより、ボウル部を洗浄することができる。
【０００５】
内装タンクの内部に便器洗浄薬剤を配置する方法として、便器洗浄薬剤を針金でつるして、内装タンク内に配置する方法が広く用いられている。しかしながら、この方法では、内装タンク内の洗浄水の増加に伴って便器洗浄薬剤が浮き上がってフリーな状態となり、内装タンク内の各機器に便器洗浄薬剤が引っかかって破損等を生じる恐れがある。
【課題を解決するための手段】
【０００６】
本発明は、上記問題を解決するためになされたものであり、内装タンク内の洗浄水の増加に伴った便器洗浄薬剤の浮き上がりを防止する、ホルダーを提供することを目的とする。
【発明の効果】
【０００７】
本発明によれば、内装タンク内の洗浄水が増加しても便器洗浄薬剤の浮き上がりが防止されるため、内装タンク内の機器の破損を抑制することができる。
【図面の簡単な説明】
【０００８】
【図１】本実施形態におけるホルダーが内装タンクに設置された状態における、便器及び便器洗浄用タンク１００の概略縦断面図である。
【図２】本実施形態におけるホルダー１の概略斜視図である。
【図３】本実施形態におけるホルダー１の平面図である。
【図４】本実施形態におけるホルダー１の右側面図である。
【図５】内装タンク１２０の上端部の拡大図である。
【図６】内装タンク１２０の上端部の別の拡大図であって、図５に対応する。
【図７】本発明に係るホルダー１の変形例を示す斜視図である。
【発明を実施するための形態】
【０００９】
以下、図面を参照しながら、本実施形態におけるホルダーの構成について説明する。図１は、本実施形態におけるホルダーが内装タンクに設置された状態における、便器及び便器洗浄用タンク１００の概略縦断面図である。図２は、本実施形態におけるホルダー１の概略斜視図である。図３は、本実施形態におけるホルダー１の平面図である。図４は、本実施形態におけるホルダー１の右側面図である。図１ないし図４において、互いに直交する３軸をＸ軸、Ｙ軸およびＺ軸とする。Ｘ軸は、背壁と前壁とが対向する対向方向（ホルダーの奥行方向）を示す。Ｙ軸は、ホルダーの幅方向を示す。Ｚ軸は、ホルダーの高さ方向を示す。Ｘ軸、Ｙ軸およびＺ軸の定義は、以降の図においても同様とする。
【００１０】
図１を参照して、便器洗浄用タンク１００は、陶器製の外装タンク１１０と、外装タンク１１０の上部に載置された、着脱自在の陶器製の外蓋１１１と、外装タンク１１０の内部に配置された内装タンク１２０と、内装タンク１２０と外装タンク１１０との間での結露の発生を防ぐために内装タンク１２０の上部に載置された、着脱自在の結露防止カバー１２１と、を備える。内装タンク１２０の内部には、便器洗浄薬剤１０が収納されたホルダー１が取り付けられている。この便器洗浄薬剤１０が、内装タンク１２０の内部に貯水された洗浄水１２２に溶け出している。内装タンク１２０の内部には、ホルダー１のほか、洗浄水１２２の水位の変化に伴って、内装タンク１２０の内部への給水／止水を行うボールタップ（不図示）や、内装タンク１２０に過度に給水された際に、内装タンク１２０からの排水を行うオーバーフロー管（不図示）等が設置されている。便器洗浄用タンク１００の底部には、内装タンク１２０の底面から外装タンク１１０の底面まで貫通した排水孔１３０が形成されている。排水孔１３０には、外装タンク１１０の側面に設けられたレバーハンドル（不図示）と連動して開閉動作を行う、排水弁１３１が設けられている。
【００１１】
便器２００は、便器２００の後方上部に設けられて便器２００の上面を貫通する導水路２１０と、便器２００の前方に設けられ、連通部２２０ａを介して導水路２１０と連通するボウル部２２０と、ボウル部２２０と連通する排水トラップ管２３０と、を備える。便器洗浄用タンク１００は、便器洗浄用タンク１００の排水孔１３０が便器２００の導水路２１０と連通する位置に載置され、便器２００に取り付けられる。
【００１２】
使用者がレバーハンドル（不図示）を回すと、閉状態であった排水弁１３１が開状態となり、便器洗浄薬剤１０が溶け出した洗浄水１２２（以下、薬剤溶解洗浄水と称す）が、内装タンク１２０から排水孔１３０を通って排水され、導水路２１０に流入する。導水路２１０からボウル部２２０に流入した薬剤溶解洗浄水が、ボウル部２２０の内壁をなめて流れ、ボウル部２２０が洗浄される。その後、薬剤溶解洗浄水は排水トラップ管２３０を通って、便器２００の外部に排出される。
【００１３】
図１ないし図４を参照して、ホルダー１は、便器洗浄薬剤１０が収納される収納部２と、収納部２を内装タンク１２０の内壁に固定する固定部３と、を有する。固定部３は、収納部２の背壁（後述）の上端に一対設けられている。一対の固定部３はそれぞれ、背壁のＹ軸方向における中心を挟んで対称な位置に設けられている。固定部３により、便器洗浄薬剤１０が収納された収納部２が、内装タンク１２０の内壁に固定される。固定部３による固定方法については、詳細を後述する。なお、本実施形態においては、収納部２と固定部３とは、一枚の金属板に曲げ加工を施すことによって形成されているが、これに限られず、収納部２と固定部３とがそれぞれ異なる金属板に曲げ加工を施すことによって形成されており、固定部３が収納部２に接着等した構成であってもよい。
【００１４】
（収納部２について）
収納部２は、背壁２１と、前壁２２と、一対の側壁２３と、からなる収納壁部２０を有する。背壁２１は、ＹＺ平面に沿って形成されており、略長方形状を有する。前壁２２は、Ｘ軸方向において背壁２１と対向して、ＹＺ平面に沿って形成されており、略長方形状を有する。前壁２２は、前壁２２の下端におけるＹ軸方向中央部から、Ｚ軸方向上方に所定領域だけ長方形状に切り欠かれた、切り欠き部２２ａを有する。背壁２１は前壁２２よりＺ軸方向上方に延びている。すなわち、前壁２２の上端は背壁２１の上端より下方に位置する。一対の側壁２３は、それぞれ、背壁２１のＹ軸方向における両側端から、Ｘ軸方向に延びる。前壁２２の下端と、背壁２１の下端と、はＸＹ平面に沿って延びる底壁２４によって繋がっている。すなわち、底壁２４は、Ｙ軸方向に離隔して配置された、第１底壁２４ａと第２底壁２４ｂとで構成されており、第１底壁２４ａと第２底壁２４ｂとに挟まれて、空隙Ｓ１が形成されている。便器収納薬剤１０を収納部２に収納すると、便器収納薬剤１０が底壁２４上に載置される。
【００１５】
背壁２１及び前壁２２によって、便器洗浄薬剤１０がＸ軸方向に移動して収納部２から離れることが防止される。また、一対の側壁２３によって、便器洗浄薬剤１０がＹ軸方向に移動して収納部２から離れることが防止される。すなわち、便器洗浄薬剤１０を収納部２に収納することにより、便器洗浄容器１０を内装タンク１２０内の所定位置に固定できるため、便器洗浄薬剤１０が水中でフリーな状態になることを抑制でき、便器洗浄薬剤１０が浮き上がることを防止することができる。
【００１６】
収納部２は、天壁を備えておらず、上方が開口した構成である。この開口部を介して、内装タンク１２０の洗浄水１２２を、収納部２の内部（または外部）から収納部２の外部（または内部）へと通水させることができる。
【００１７】
前壁２２の高さは背壁２１の高さより低い（前壁２２の上端は背壁２１の上端よりＺ軸方向において下方に位置する）ため、収納部２に便器洗浄薬剤１０を収納する際、前壁２２側から便器洗浄薬剤１０を入れやすく、便器洗浄薬剤１０を収納部２により容易に収納させることができる。
【００１８】
切り欠き部２２ａ及び空隙Ｓ１により、Ｙ軸方向視において略Ｌ字状に、通水開口部２５が形成されている。通水開口部２５を介して、内装タンク１２０の洗浄水１２２を、収納部２の内部（または外部）から収納部２の外部（または内部）へと通水させることができる。そのため、内装タンク１２０の洗浄水１２２に含まれる便器洗浄薬剤１０の薬剤濃度をより高めることができ、ボウル部２２０の洗浄をより効率よく行うことができる。
【００１９】
側壁２３の下端２３ａは、底壁２４と接触しない位置に設けられている。具体的には、側壁２３のＺ軸方向における下端２３ａが、底壁２４よりＺ軸方向上方に離隔した位置に配置されている。この構成によれば、側壁２３の下端２３ａと底壁２４との間に空隙Ｓ２（通水開口部２６）が形成される。そのため、空隙Ｓ２（通水開口部２６）を介して、内装タンク１２０の洗浄水１２２を、収納部２の内部（または外部）から収納部２の外部（または内部）へと通水させることができ、内装タンク１２０の洗浄水１２２に含まれる便器洗浄薬剤１０の薬剤濃度をより高めることができる。その結果、ボウル部２２０の洗浄をより効率よく行うことができる。
【００２０】
側壁２３のＸ軸方向における両側端のうち、背壁２１とつながっていない側端２３ｂは、前壁２２と接触しない位置に設けられている。また、上述の通り、収納部２は、天壁を備えていない。この構成によれば、前壁２２が底壁２４とのみつながり、前壁２２の上端が接続されない。すなわち、前壁２２は、前壁２２の下端が底壁２４によって支持された、片持ち支持梁構造を有する。そのため、前壁２２は、Ｘ軸方向の外力に対して弾性を有する。したがって、便器洗浄薬剤１０のＸ軸方向における幅が、ホルダー１のＸ軸方向長さ（奥行）より大きい場合であっても、便器洗浄薬剤１０が収納部２に収納された状態において、便器洗浄薬剤１０に前壁２２が弾性接触し、便器洗浄薬剤１０を背壁２１に押圧する。すなわち、便器洗浄薬剤１０を収納部２に安定的に収納することができる。なお、「前壁２２が便器洗浄薬剤１０に弾性接触」とは、前壁２２が便器洗浄薬剤１０自体（例えば、固形薬剤等）に直接弾性接触している場合に限るものではなく、便器洗浄薬剤１０が収容されている袋やケース等に、前壁２２が弾性接触している場合も含むものとする。
【００２１】
（固定部３について）
固定部３は、フック部３１と、フランジ部３２と、を有する。フック部３１は、Ｚ軸方向上方に延びる長方形状の第１平坦面３１ａと、第１平坦面３１ａと対向する位置に設けられた長方形状の第２平坦面３１ｂと、第１平坦面３１ａのＺ軸方向上端と第２平坦面３１ｂのＺ軸方向上端とをつなぐ第３平坦面３１ｃと、を備える。第２平坦面３１ｂの下端は、第１平坦面３１ａの下端よりＺ軸方向下方に位置する。第３平坦面３１ｃは、ＸＹ平面上において平坦に形成されている。内装タンク１２０の壁面を第１平坦面３１ａと第２平坦面３１ｂとで挟むように、第３平坦面３１ｃを内装タンク１２０の壁面の上端に載置する。これにより、フック部３１が内装タンク１２０の上端部に係止されるため、収納部２を内装タンク１２０の内壁に固定することができる。背壁２１のＺ軸方向上端と第１平坦面３１ａのＺ軸方向下端とは、フランジ部３２によってつながっている。フランジ部３２は、ＸＹ平面上において平坦に形成されている。
【００２２】
固定部３がフランジ部３２を有することの効果について、図５及び図６を参照して詳細に説明する。図５は、内装タンク１２０の上端部の拡大図である。図６は、内装タンク１２０の上端部の別の拡大図であって、図５に対応する。図５において、ホルダー１を省略して図示する。また、図６において、ホルダー１を省略せずに図示する。図５及び図６に図示する内装タンク１２０には、結露防止カバー１２１が載置されている。内装タンク１２０の上端部は段付き構造となっており、結露防止カバー１２１が載置される載置面１２０ａと、載置面１２０ａよりＺ軸方向上方に位置する上端面１２０ｂと、が形成されている。載置面１２０ａと上端面１２０ｂとは共にＸＹ平面上に平坦に形成されている。内装タンク１２０にかぶせられる結露防止カバー１２１の下端面１２１ａは、載置面１２０ａに対応した形状（ＸＹ平面上において平坦な形状）を有している。ホルダー１を内装タンク１２０に設置していない状態で、結露防止カバー１２１を内装タンク１２０にかぶせると（図５参照）、結露防止カバー１２１の下端面１２１ａが載置面１２０ａに当接した状態で、結露防止カバー１２１が内装タンク１２０に載置される。
【００２３】
一方、ホルダー１を内装タンク１２０に設置すると（図６参照）、フック部３１が内装タンク１２０の上端部に係止され、載置面１２０ａにフランジ部３２が載置された構造となる。ここで、フランジ部３２は載置面１２０ａに沿って配置されている（ＸＹ平面上に平坦に形成されている）。そのため、ホルダー１を内装タンク１２０に設置した状態で内装タンク１２０に結露防止カバー１２１をかぶせても（図６参照）、載置面１２０ａから結露防止カバー１２１の下端面１２１ａまでのＺ軸方向における差分は、フランジ部３２の厚みＡ（ｍｍ）のみに抑制される。すなわち、ホルダー１を内装タンク１２０に設置した状態で内装タンク１２０に結露防止カバー１２１をかぶせても、ホルダー１を内装タンク１２０に設置していない状態と比べて、結露防止カバー１２１の載置位置を変更することなく、結露防止カバー１２１を内装タンク１２０に載置することができる。
【００２４】
フランジ部３２の厚みＡ（ｍｍ）は、Ａ≦１．０を満たすことが好ましい。Ａ＞１．０の場合、ホルダー１を内装タンク１２０に設置した状態で内装タンク１２０に結露防止カバー１２１をかぶせた際、結露防止カバー１２１が過度に浮き上がる可能性がある。そのため、フランジ部３２の厚みＡは、Ａ≦１．０を満たすことが好ましい。
【００２５】
なお、ホルダー１は、例えばステンレス等の金属製であっても良いが、これに限られず、例えば樹脂製であってもよい。また、便器洗浄薬剤１０としては、例えば非イオン系界面活性剤を用いることができるが、これに限られず、種々の便器洗浄薬剤を用いることができる。
【００２６】
（変形例）
収納部は、本実施形態における収納部２に限られず、例えば、図７に示すように、円形の底面２４´と、底面２４´の外縁からＺ軸方向上方に延びる円筒形状の収納壁部２０´と、を有する収納部２´であってもよい。図７は、本発明に係るホルダー１の変形例を示す斜視図である。この構成によれば、収納部２´に便器洗浄薬剤１０が収納された場合、底壁２４´上に便器洗浄薬剤１０が載置され、収納壁部２０´により、便器洗浄薬剤１０が収納部２´から、Ｚ軸方向に直交する方向に移動して離れることが防止される。
【００２７】
（変形例）
本実施形態においては、固定部３はフック部３１とフランジ部３２とを有しているが、これに限られない。例えば、固定部３が吸盤体であり、吸盤体を内装タンク１２０の内壁に押し付けることにより、収納部２を内装タンク１２０の内壁に固定してもよい。
【００２８】
（変形例）
本実施形態においては、固定部３は背壁２１の上端に一対設けられているが、これに限られない。例えば、固定部３は背壁２１の上端に３つ以上設けられてもよく、１つのみ設けられてもよい。また、固定部３は背壁２１の任意の位置に設けられてもよい。
ただし、本実施形態のように、固定部３を収納部２の背壁２１の上端に一対設け、一対の固定部３をそれぞれ、背壁２１のＹ軸方向における中心を挟んで対称な位置に設けた構成とすることにより、便器洗浄薬剤１０を収納部２に収納した際にホルダー１が傾くことを抑制でき、より安定的に便器洗浄薬剤１０を保持することができる。
【００２９】
（変形例）
本実施形態においては、通水開口部２５は前壁２２及び底壁２４に形成されているが、これに限られない。通水開口部２５は、収納部２の内外における通水を可能とする適宜な位置に設けられていればよい。例えば、前壁２２または底壁２４のいずれか一方にのみ形成されてもよく、背壁２１または側壁２３に形成されてもよい。また、通水開口部２５の形状は、本実施形態における形状に限られず、例えば丸形や三角形等の適宜な形状としてもよい。
【００３０】
（変形例）
本実施形態においては、一対の側壁２３は、それぞれ、背壁２１のＹ軸方向における両側端からＸ軸方向に延びている。しかしながら、これに限られず、例えば、一対の側壁２３の少なくとも一方が、前壁２２のＹ軸方向における両側端からＸ軸方向に延びる構成であってもよい。また、一対の側壁２３の少なくとも一方が、底壁２４のＹ軸方向における側端からＺ軸方向上方に延びる構成であってもよい。
【００３１】
（変形例）
本実施形態においては、側壁２３のＺ軸方向における下端２３ａが、底壁２４よりＺ軸方向上方に離隔した位置に配置されている構成であるため、通水開口部２６が、側壁２３の下端２３ａよりＺ軸方向下方に形成されている。しかしながら、これに限られず、側壁２３のＺ軸方向における下端２３ａは、底壁２４よりＹ軸方向に離隔した位置に配置されている構成であってもよい。この場合、通水開口部２６は、側壁２３の下端２３ａよりＹ軸方向内側に形成される。
【符号の説明】
【００３２】
１：ホルダー  ２、２´：収納部  ３：固定部  １０：便器洗浄薬剤  ２０、２０´：収納壁部  ２１：背壁  ２２：前壁  ２３：側壁  ２４、２４´：底壁  ２５、２６：通水開口部  ３１：フック部  ３２：フランジ部  １００：便器洗浄水タンク  １１０：外装タンク  １１１：結露防止カバー  １２０：内装タンク  １２０ａ：載置面  １２２：洗浄水  ２００：便器
【図１】
2020180520.tif 000003
【図２】
2020180520.tif 000004
【図３】
2020180520.tif 000005
【図４】
2020180520.tif 000006
【図５】
2020180520.tif 000007
【図６】
2020180520.tif 000008
【図７】
2020180520.tif 000009